(57)【要約】      （修正有）【課題】エンジンの爆発によって発生する振動の能動的かつ効果的な低減が可能な、ハイブリッド車の能動型振動低減制御装置及びその方法を提供する。【解決手段】エンジン１１４の一側に結合される第１モータ１１２の回転角に基づいて基準信号及び第１位相を生成する基準信号生成部、エンジンの他側に結合される第２モータ１１６から振動信号を抽出する振動抽出部２１３、基準信号と前記振動信号との間の位相差を最小とするフィルター係数を決める係数決定部、第１モータの速度信号とフィルター係数を利用して基準信号と振動信号との間の位相差に該当する第２位相を検出する位相決定部２４２、第１モータの速度信号を利用して位相遅延を補償するための第３位相を検出する位相偏移量検出部２５０、及び第１モータの補償力の決定のため、第１位相、第２位相、または第３位相を利用して、実際の振動形状の逆位相信号を生成する同期信号生成部２６０を含む。【選択図】図４
2018008672.tif 000002
【特許請求の範囲】
【請求項１】
エンジンの一側に結合されている第１モータの回転角に基づいて基準信号及び第１位相を生成する基準信号生成部、
前記エンジンの他側に結合されている第２モータから振動信号を抽出する振動抽出部、
前記基準信号と前記振動信号との間の位相差が最小になるようにするフィルター係数を決める係数決定部、
前記第１モータの速度信号と前記フィルター係数を利用して前記基準信号と前記振動信号との間の位相差に該当する第２位相を検出する位相決定部、
前記第１モータの速度信号を利用して位相遅延を補償するための第３位相を検出する位相偏移量検出部、及び
前記第１モータの補償力の決定のため、前記第１位相、前記第２位相、または前記第３位相を利用して、正弦波ではなく実際の振動形状の逆位相信号を生成する同期信号生成部
を含むことを特徴とするハイブリッド車の能動型振動低減制御装置。
【請求項２】
前記逆位相信号に基準トルクを掛けて逆位相トルクを生成した後、指令トルクと合算して振動低減用トルクを生成するトルク生成部をさらに含むことを特徴とする請求項１に記載のハイブリッド車の能動型振動低減制御装置。
【請求項３】
前記同期信号生成部は、
前記第１位相から前記第２位相を引いた結果に前記第３位相を足した位相に基づき、実際の振動の形状に対応される位相合成信号を生成する位相合成器、及び
前記位相合成信号の逆位相信号を生成する逆位相信号生成器
を含むことを特徴とする請求項１に記載のハイブリッド車の能動型振動低減制御装置。
【請求項４】
前記同期信号生成部は、
位相値別の信号の大きさに対するルックアップテーブルを利用し、前記第１位相、前記第２位相、または前記第３位相を利用して決定された位相に対する前記実際の振動形状の前記逆位相信号を生成することを特徴とする請求項１に記載のハイブリッド車の能動型振動低減制御装置。
【請求項５】
前記同期信号生成部は、
線形補間方式を利用して前記ルックアップテーブルの位相値の間の詳細位相に対応される信号の大きさを算出することを特徴とする請求項４に記載のハイブリッド車の能動型振動低減制御装置。
【請求項６】
前記同期信号生成部は、
前記エンジンの吸入、圧縮、膨張、排気行程と係わるエンジンやクランク軸トルクモデル等に基づき、前記第１位相、前記第２位相、または前記第３位相を利用して、前記実際の振動形状の前記逆位相信号を計算して出力することを特徴とする請求項１に記載のハイブリッド車の能動型振動低減制御装置。
【請求項７】
前記振動抽出部は、
前記第２モータの回転角を測定する位置測定器、
前記位置測定器によって測定された回転角を微分して速度信号を算出する速度算出器、及び
前記速度算出器により算出された速度信号をフィルタリングして振動信号を抽出する振動抽出器
を含んでなることを特徴とする請求項１に記載のハイブリッド車の能動型振動低減制御装置。
【請求項８】
前記基準信号生成部は、
前記第１モータの回転角を測定する位置測定器、
前記位置測定器により測定された第１モータの回転角に２を掛けて２倍回転角を前記第２位相として算出する算出器、及び
前記算出器により算出された２倍回転角を利用して基準信号を生成する基準信号生成器
を含んでなることを特徴とする請求項１に記載のハイブリッド車の能動型振動低減制御装置。
【請求項９】
前記位相決定部は、
前記位置測定器により測定された回転角を微分して速度信号を算出する速度算出器、及び
前記速度算出器により算出された速度信号と前記決定されたフィルター係数とを利用して前記基準信号と前記振動信号の間の位相差を検出する位相決定器
を含んでなることを特徴とする請求項８に記載のハイブリッド車の能動型振動低減制御装置。
【請求項１０】
前記係数決定部は、
フィルター係数更新器、
前記フィルター係数更新器により更新されたフィルター係数を利用して前記基準信号生成部により生成された基準信号をフィルタリングする可変フィルター、及び
前記基準信号生成部により生成された基準信号と前記振動抽出部により抽出された振動信号との間の位相差を算出する位相差算出器を含み、
前記フィルター係数更新器は前記位相差算出器により算出された位相差が最小になるように前記フィルター係数を更新計算することを特徴とする請求項１に記載のハイブリッド車の能動型振動低減制御装置。
【請求項１１】
エンジンの一側に結合されている第１モータの回転角に基づいて基準信号及び第１位相を生成する段階、
前記エンジンの他側に結合されている第２モータから振動信号を抽出する段階、
前記基準信号と前記振動信号の間の位相差が最小になるようにするフィルター係数を決める段階、
前記第１モータの速度信号と前記フィルター係数とを利用して前記基準信号と前記振動信号の間の位相差に該当する第２位相を検出する段階、
前記第１モータの速度信号を利用して位相遅延を補償するための第３位相を検出する段階、及び
前記第１モータの補償力の決定のため、前記第１位相、前記第２位相、または前記第３位相を利用して、正弦波ではなく実際の振動形状の逆位相信号を生成する段階
を含むことを特徴とするハイブリッド車の能動型振動低減制御方法。
【請求項１２】
前記逆位相信号に基準トルクを掛けて逆位相トルクを生成した後、指令トルクと合算して振動低減用トルクを生成する段階をさらに含むことを特徴とする請求項１１に記載のハイブリッド車の能動型振動低減制御方法。
【請求項１３】
前記逆位相信号を生成する段階は、
前記第１位相から前記第２位相を引いた結果に前記第３位相を足した位相に基づき、実際の振動の形状に対応される位相合成信号を生成する段階、及び
前記位相合成信号の逆位相信号を生成する段階
を含むことを特徴とする請求項１１に記載のハイブリッド車の能動型振動低減制御方法。
【請求項１４】
前記逆位相信号を生成する段階は、
位相値別の信号の大きさに対するルックアップテーブルを利用し、前記第１位相、前記第２位相、または前記第３位相を利用して決定された位相に対する前記実際の振動形状の前記逆位相信号を生成する段階を含むことを特徴とする請求項１１に記載のハイブリッド車の能動型振動低減制御方法。
【請求項１５】
前記逆位相信号を生成する段階で、線形補間方式を利用して前記ルックアップテーブルの位相値の間の詳細位相に対応される信号の大きさを算出することを特徴とする請求項１４に記載のハイブリッド車の能動型振動低減制御方法。
【請求項１６】
前記逆位相信号を生成する段階は、
前記エンジンの吸入、圧縮、膨張、排気行程と係わるエンジンやクランク軸トルクモデル等に基づき、前記第１位相、前記第２位相、または前記第３位相を利用し、前記実際の振動形状の前記逆位相信号を計算して出力する段階を含むことを特徴とする請求項１１に記載のハイブリッド車の能動型振動低減制御方法。
【請求項１７】
前記振動信号を抽出する段階は、
前記第２モータの回転角を測定する段階、
前記回転角を微分して速度信号を算出する段階、及び
前記速度信号をフィルタリングして振動信号を抽出する段階
を含むことを特徴とする請求項１１に記載のハイブリッド車の能動型振動低減制御方法。
【請求項１８】
前記基準信号及び第１位相を生成する段階は、
前記第１モータの回転角を測定する段階、
前記第１モータの回転角に２を掛けて２倍回転角を前記第１位相として算出する段階、及び
前記２倍回転角を利用して前記基準信号を生成する段階
を含むことを特徴とする請求項１１に記載のハイブリッド車の能動型振動低減制御方法。
【請求項１９】
前記第２位相を検出する段階は、
前記第１モータの回転角を微分して速度信号を算出する段階、及び
前記速度信号と前記フィルター係数とを利用して前記基準信号と前記振動信号の間の位相差を前記第２位相として検出する段階
を含むことを特徴とする請求項１８に記載のハイブリッド車の能動型振動低減制御方法。
【請求項２０】
前記フィルター係数を決める段階は、
可変フィルターに前記フィルター係数を利用して前記基準信号をフィルタリングする段階、
前記基準信号と前記振動信号の間の位相差を算出する段階、及び
前記基準信号と前記振動信号の間の位相差が最小になるよう、前記可変フィルターに提供する前記フィルター係数を更新する段階
を含むことを特徴とする請求項１１に記載のハイブリッド車の能動型振動低減制御方法。
【発明の詳細な説明】
【技術分野】
【０００１】
本発明は、ハイブリッド車の能動型振動低減制御装置及びその方法に係り、より詳細には、内燃機関エンジンの爆発行程時に駆動系（Ｐｏｗｅｒｔｒａｉｎ）を介して伝えられる振動成分を抽出し、振動信号の逆位相トルクを駆動系に取り付けられたモータに印加することにより、エンジンの爆発によって発生する振動を能動的に低減するハイブリッド車の能動型振動低減制御装置及びその方法に関する。
【背景技術】
【０００２】
エンジンは、気筒爆発行程中の燃焼圧力によって回転力を発生させ、燃焼圧力の急激な変動によってエンジントルクは軸回転当りの気筒爆発数に比例する振動成分を含む。このような振動成分は、エンジンマウント及び駆動軸を介して車体に伝えられ、振動及び騷音を誘発して乗り心地を低下させる。
これを克服するため、エコカーなどの電気モータを備えた電動化（Ｅｌｅｃｔｒｉｆｉｃａｔｉｏｎ）された自動車の場合、駆動系に発生する振動を、モータを利用して能動的（Ａｃｔｉｖｅ）に低減する方法を用い、特に、内燃機関エンジンの爆発行程時に駆動系を介して伝えられる振動成分を測定し、駆動系に取り付けられたモータに振動に対する逆位相トルクを印加することにより振動を低減する方法が用いられる。このとき、逆位相トルクの基準になる基準信号は主にサイン（Ｓｉｎ）波が用いられ、発生した振動と基準サイン波の誤差が最小になるように能動型フィルターの係数が決定される。このとき、逆位相トルクの基準になる基準信号（図１の１１０を参照）が実際のエンジン爆発による振動の形状（図１の１２０を参照）と相違するので、実際の振動のピークと基準サイン波のピークとの間に位相差が存在することになり、これは振動低減制御の性能を低下させるという問題点がある。
【先行技術文献】
【特許文献】
【０００３】
【特許文献１】特開２０１６−１１１９１０号公報
【発明の概要】
【発明が解決しようとする課題】
【０００４】
本発明は、前述した問題点を解決するためになされたものであって、本発明の目的は、逆位相のモータ補償力を決めるため、逆位相トルクの基準になる基準信号をサイン波形態の正弦波ではなく実際の振動の形状に生成して、実際の振動と基準信号との間の位相同期性能を向上させ、かつ、時間領域でなく周波数領域で直接位相を調整し、エンジンの爆発によって発生する振動の能動的かつ効果的な低減が可能な、ハイブリッド車の能動型振動低減制御装置及びその方法を提供することにある。
【課題を解決するための手段】
【０００５】
本発明によるハイブリッド車の能動型振動低減制御装置は、エンジンの一側に結合されている第１モータの回転角に基づいて基準信号及び第１位相を生成する基準信号生成部、前記エンジンの他側に結合されている第２モータから振動信号を抽出する振動抽出部、前記基準信号と前記振動信号との間の位相差が最小になるようにするフィルター係数を決める係数決定部、前記第１モータの速度信号と前記フィルター係数を利用して前記基準信号と前記振動信号との間の位相差に該当する第２位相を検出する位相決定部、前記第１モータの速度信号を利用して位相遅延を補償するための第３位相を検出する位相偏移量検出部、及び前記第１モータの補償力の決定のため、前記第１位相、前記第２位相、または前記第３位相を利用して、正弦波ではなく実際の振動形状の逆位相信号を生成する同期信号生成部を含むことを特徴とする。
【０００６】
前記逆位相信号に基準トルクを掛けて逆位相トルクを生成した後、指令トルクと合算して振動低減用トルクを生成するトルク生成部をさらに含むことを特徴とする。
【０００７】
前記同期信号生成部は、前記第１位相から前記第２位相を引いた結果に前記第３位相を足した位相に基づき、実際の振動の形状に対応される位相合成信号を生成する位相合成器、及び前記位相合成信号の逆位相信号を生成する逆位相信号生成器を含むことを特徴とする。
【０００８】
前記同期信号生成部は、位相値別の信号の大きさに対するルックアップテーブルを利用し、前記第１位相、前記第２位相、または前記第３位相を利用して決定された位相に対する前記実際の振動形状の前記逆位相信号を生成することを特徴とする。
【０００９】
前記同期信号生成部は、線形補間方式を利用して前記ルックアップテーブルの位相値の間の詳細位相に対応される信号の大きさを算出することを特徴とする。
【００１０】
または、前記同期信号生成部は、前記エンジンの吸入、圧縮、膨張、排気行程と係わるエンジンやクランク軸トルクモデル等に基づき、前記第１位相、前記第２位相、または前記第３位相を利用して、前記実際の振動形状の前記逆位相信号を計算して出力することを特徴とする。
【００１１】
前記振動抽出部は、前記第２モータの回転角を測定する位置測定器、前記位置測定器によって測定された回転角を微分して速度信号を算出する速度算出器、及び前記速度算出器により算出された速度信号をフィルタリングして振動信号を抽出する振動抽出器を含むことを特徴とする。
【００１２】
前記基準信号生成部は、前記第１モータの回転角を測定する位置測定器、前記位置測定器により測定された第１モータの回転角に２を掛けて２倍回転角を前記第２位相として算出する算出器、及び前記算出器により算出された２倍回転角を利用して基準信号を生成する基準信号生成器を含むことを特徴とする。
【００１３】
前記位相決定部は、前記位置測定器により測定された回転角を微分して速度信号を算出する速度算出器、及び前記速度算出器により算出された速度信号と前記決定されたフィルター係数とを利用して前記基準信号と前記振動信号の間の位相差を検出する位相決定器を含むことを特徴とする。
【００１４】
前記係数決定部は、フィルター係数更新器、前記フィルター係数更新器により更新されたフィルター係数を利用して前記基準信号生成部により生成された基準信号をフィルタリングする可変フィルター、及び前記基準信号生成部により生成された基準信号と前記振動抽出部により抽出された振動信号との間の位相差を算出する位相差算出器を含み、前記フィルター係数更新器は前記位相差算出器により算出された位相差が最小になるように前記フィルター係数を更新することを特徴とする。
【００１５】
さらに、本発明によるハイブリッド車の能動型振動低減制御方法は、エンジンの一側に結合されている第１モータの回転角に基づいて基準信号及び第１位相を生成する段階、前記エンジンの他側に結合されている第２モータから振動信号を抽出する段階、前記基準信号と前記振動信号の間の位相差が最小になるようにするフィルター係数を決める段階、前記第１モータの速度信号と前記フィルター係数とを利用して前記基準信号と前記振動信号の間の位相差に該当する第２位相を検出する段階、前記第１モータの速度信号を利用して位相遅延を補償するための第３位相を検出する段階、及び前記第１モータの補償力の決定のため、前記第１位相、前記第２位相、または前記第３位相を利用して、正弦波ではなく実際の振動形状の逆位相信号を生成する段階を含むことを特徴とする。
【００１６】
前記ハイブリッド車の能動型振動低減制御方法は、前記逆位相信号に基準トルクを掛けて逆位相トルクを生成した後、指令トルクと合算して振動低減用トルクを生成する段階をさらに含むことを特徴とする。
【００１７】
前記逆位相信号を生成する段階は、前記第１位相から前記第２位相を引いた結果に前記第３位相を足した位相に基づき、実際の振動の形状に対応される位相合成信号を生成する段階、及び前記位相合成信号の逆位相信号を生成する段階を含むことを特徴とする。
【００１８】
前記逆位相信号を生成する段階は、位相値別の信号の大きさに対するルックアップテーブルを利用し、前記第１位相、前記第２位相、または前記第３位相を利用して決定された位相に対する前記実際の振動形状の前記逆位相信号を生成する段階を含むことを特徴とする。
【００１９】
前記逆位相信号を生成する段階で、線形補間方式を利用して前記ルックアップテーブルの位相値の間の詳細位相に対応される信号の大きさを算出することを特徴とする。
【００２０】
または、前記逆位相信号を生成する段階は、前記エンジンの吸入、圧縮、膨張、排気行程と係わるエンジンやクランク軸トルクモデル等に基づき、前記第１位相、前記第２位相、または前記第３位相を利用し、前記実際の振動形状の前記逆位相信号を計算して出力する段階を含むことを特徴とする。
【００２１】
前記振動信号を抽出する段階は、前記第２モータの回転角を測定する段階、前記回転角を微分して速度信号を算出する段階、及び前記速度信号をフィルタリングして振動信号を抽出する段階を含むことを特徴とする。
【００２２】
前記基準信号及び第１位相を生成する段階は、前記第１モータの回転角を測定する段階、前記第１モータの回転角に２を掛けて２倍回転角を前記第１位相として算出する段階、及び前記２倍回転角を利用して前記基準信号を生成する段階を含むことを特徴とする。
【００２３】
前記第２位相を検出する段階は、前記第１モータの回転角を微分して速度信号を算出する段階、及び前記速度信号と前記フィルター係数とを利用して前記基準信号と前記振動信号の間の位相差を前記第２位相として検出する段階を含むことを特徴とする。
【００２４】
前記フィルター係数を決める段階は、可変フィルターに前記フィルター係数を利用して前記基準信号をフィルタリングする段階、前記基準信号と前記振動信号の間の位相差を算出する段階、及び前記基準信号と前記振動信号の間の位相差が最小になるよう、前記可変フィルターに提供する前記フィルター係数を更新する段階を含むことを特徴とする。
【発明の効果】
【００２５】
本発明によるハイブリッド車の能動型振動低減制御装置及びその方法によれば、逆位相トルクの基準になる基準信号を、サイン波形態の正弦波ではなく実際の振動の形状に生成して実際の振動と基準信号の間の位相同期性能が向上するように逆位相のモータ補償力を決めることができ、時間領域でなく周波数領域で直接位相を調整し、エンジンの爆発によって発生する振動の能動的かつ効果的な低減が可能である。
また、ＦＩＲ（Ｆｉｎｉｔｅ  Ｉｍｐｕｌｓｅ  Ｒｅｓｐｏｎｓｅ）、ＩＩＲ（Ｉｎｆｉｎｉｔｅ  Ｉｍｐｕｌｓｅ  Ｒｅｓｐｏｎｓｅ）形式などの適応フィルター（Ａｄａｐｔｉｖｅ  Ｆｉｌｔｅｒ）を利用して目標信号と基準信号の間の誤差が最小になるように最適に近いフィルター係数を決めることにより、実際の振動と基準信号の間の位相同期性能を向上させることができ、エンジンの爆発によって発生する振動を効果的に低減することができる。
【図面の簡単な説明】
【００２６】
【図１】逆位相トルクを利用した従来の振動低減方法を説明するための図である。
【図２】本発明の能動型振動低減制御装置が適用されるハイブリッド車に対する一例示図である。
【図３】本発明において、車両の振動低減のための逆位相トルクの生成概念を説明するための図である。
【図４】本発明の一実施形態で、ハイブリッド車の能動型振動低減制御装置を説明するための図である。
【図５】本発明の一実施形態で、ハイブリッド車の能動型振動低減制御装置の動作を説明するためのフローチャートである。
【図６】本発明の一実施形態で、同期信号生成部２６０を説明するための図である。
【図７】本発明における実際の振動の形状に対応される位相合成信号の生成のためのルックアップテーブルの一例を示す図である。
【図８】本発明における実際の振動の形状に対応される位相合成信号の計算のための図である。
【図９】本発明における実際の振動の形状に対応される位相合成信号の生成のためのエンジンモデリングを利用する方式を説明するための図である。
【図１０】本発明の一実施形態で、ハイブリッド車の能動型振動低減制御装置の具現方法の一例を説明するための図である。
【発明を実施するための形態】
【００２７】
以下、図面を参照して、本発明に対して詳しく説明する。ここで、各図面で同一の構成要素は同一の符号とした。既に公知の構成は説明を省略した。多様な実施例に係る動作の理解に必要な部分は重点的に説明した。図面は一部を省略する又は略的に示した。各構成要素の大きさは実際の大きさを反映するものではない。各図面に描かれている構成要素は、相対的な大きさである。
【００２８】
図２は、本発明の能動型振動低減制御装置が適用されるハイブリッド車に対する一例示図である。
図２に示すように、本発明が適用されるハイブリッド車は、エンジン１１４と第１モータ１１２がトーショナルダンパ（ｔｏｒｓｉｏｎａｌ  ｄａｍｐｅｒ）１１３を介して連結されているＴＭＥＤ（Ｔｒａｎｓｍｉｓｓｉｏｎ−Ｍｏｕｎｔｅｄ  Ｅｌｅｃｔｒｉｃ  Ｄｅｖｉｃｅ）方式のハイブリッド車であって、このようなハイブリッド車の駆動系は、変速機１１１、第１モータ１１２、トーショナルダンパ１１３、エンジン１１４、ベルトプーリ（Ｂｅｌｔ−Ｐｕｌｌｅｙ）１１５、第２モータ１１６、変速機制御器（Ｔｒａｎｓｍｉｓｓｉｏｎ  Ｃｏｎｔｒｏｌ  Ｕｎｉｔ、ＴＣＵ）１１７、エンジン制御器（Ｅｎｇｉｎｅ  Ｃｏｎｔｒｏｌ  Ｕｎｉｔ、ＥＣＵ）１１８、モータ制御器（Ｍｏｔｏｒ  Ｃｏｎｔｒｏｌ  Ｕｎｉｔ、ＭＣＵ）（インバータを含む）１１９、第１バッテリー１２０、第１バッテリー制御器（Ｂａｔｔｅｒｙ  Ｍａｎａｇｅｍｅｎｔ  Ｓｙｓｔｅｍ、ＢＭＳ）１２１、第２バッテリー１２２、電圧制御器（Ｖｏｌｔａｇｅ  Ｃｏｎｖｅｒｔｅｒ）１２３及びハイブリッド制御器（Ｈｙｂｒｉｄ  Ｃｏｎｔｒｏｌ  Ｕｎｉｔ、ＨＣＵ）１２４などを含む。
【００２９】
ここで、第１モータ１１２は、エンジン１１４とトーショナルダンパ１１３及びエンジンクラッチ（図示省略）を介して連結され、基本的に第１バッテリー１２０からの高電圧に基づいて車両を駆動させ、走行時の駆動力及び減速時の回生制動要求に応じてエンジンクラッチが結合または解除されるに伴い、ＨＥＶ（Ｈｙｂｒｉｄ  Ｅｌｅｃｔｒｉｃ  Ｖｅｈｉｃｌｅ）モード及びＥＶ（Ｅｌｅｃｔｒｉｃ  Ｖｅｈｉｃｌｅ）モードの走行を支援する。
【００３０】
特に、第１モータ１１２は、本発明において振動を低減させる主体としての役割を担う。つまり、第１モータ１１２は変速機１１１段に振動が伝えられることを防止する。第２モータ１１６は、ベルトプーリ１１５を介してエンジン１１４と連結され、エンジン１１４の動力を利用して第１バッテリー１２０を充電するか、第１モータ１１２へ電力を供給する。第１バッテリー制御器１２１は、高電圧を供給する第１バッテリー１２０を管理する。第２バッテリー１２２は、電場負荷に電源を供給する。電圧制御器１２３は、第１バッテリー１２０の電圧を第２バッテリー１２２の定格電圧に変換する。ハイブリッド制御器１２４は、車両の運転点を決めるなどの車両の全般的な制御を担当する。さらに、ハイブリッド制御器１２４は、各制御器の駆動制御及びハイブリッド運転モードの設定、そして車両全般の制御を担当する最上位の制御器であって、前記各制御器が最上位制御器であるハイブリッド制御器１２４を中心に高速ＣＡＮ（Ｃｏｎｔｒｏｌｌｅｒ  Ａｒｅａ  Ｎｅｔｗｏｒｋ）通信ラインで連結され、制御器の相互間に情報を取り交わしながら、上位制御器は下位制御器に命令を伝える。
【００３１】
以下、本発明の要旨を説明する。
本発明に係るハイブリッド車の能動型振動低減制御のための核心的な技術である逆位相の把握は、駆動系の周波数応答特性を利用して達成される。駆動系に加振力が作用して振動が発生することはシステム伝達関数にモデリング可能であり、入力と出力振動の間の振幅及び位相関係は伝達関数の周波数応答で表すことができる。
【００３２】
図３は、本発明において、車両の振動低減のための逆位相トルクの生成概念を説明するための図である。
エンジン１１４から発生した加振力は、駆動系に連結されている変速機１１１、第２モータ１１６（またはＨＳＧ（Ｈｙｂｒｉｄ  Ｓｔａｒｔｅｒ  Ｇｅｎｅｒａｔｏｒ））、ＤＳ（駆動軸、Ｄｒｉｖｅ  Ｓｈａｆｔ）１５８、ＷＨ（Ｗｈｅｅｌ  Ｈｏｕｓｅ）１５９などの各要素へ伝えられて車体１６０の各部位に振動が発生することになり、伝達経路ごとに別途の伝達関数が存在して各部位の振動の振幅及び位相差は加振源と互いに異なることになり、その値は慣性モーメント、剛性、ダンピング係数などの機械システムのパラメーターによって決まる。エンジン加振力が低減目標部位（例えば、第１モータ１１２）に伝えられるとき、第２モータ１１６に基づいて測定された速度振動信号を利用して位相と振幅を調整し、エンジン加振力に逆位相となる補償力を目標部位に適用すれば、目標部位に振動が相殺されて振動を低減することができる。
【００３３】
図２または図３に示す通り、駆動系の特定部位で測定された振動とエンジン加振力、そして振動低減目標部位の振動は、それぞれ一定の周波数応答関係を有するので、駆動系周波数応答特性を利用して目標部位の逆位相を推定することができる。第２モータ１１６の位置信号（例えば、ＨＳＧ回転子の位置）を微分（或いは観測器）して速度を測定した後、フィルタリングを介して抽出された速度に対する振動成分とエンジン加振力との間には一定の周波数応答、即ち、位相及び振幅の差が存在し、エンジン加振力から振動低減目標部位（例えば、第１モータ）まで一定の周波数応答が存在するので、測定された振動信号と目標部位との間には一定の周波数応答関係が存在する。さらに、モータ発生力から目標部位までも一定の周波数関係が存在するので、結局、抽出された振動信号と、目標部位において逆位相振動の低減のために目標部位（例えば、第１モータ）が発生させなければならない補償力との間にも一定の周波数応答関係が成り立つ。
【００３４】
前述のハイブリッド車では、振動低減目標部位であるとともに実際の振動を低減させる第１モータ１１２の補償力を決めるため、第２モータ１１６の速度信号から抽出された振動信号に同期化された基準信号を生成した後、予め把握された駆動系伝達関数の周波数特性に従って振幅の調整及び位相の偏移を行うことにより、振動低減のための逆位相の補償力を決める。このとき、補償力の振幅は、エンジン制御器１１８で提供するエンジントルクなどを利用して決めることもできる。本発明では特に、第１モータ１１２の位相情報に基づいて通常の能動型振動低減技術に用いられるサイン（Ｓｉｎ）形態の正弦波ではなく実際の振動の形状に逆位相信号を生成し、実際の振動と基準信号の位相同期性能を向上させることができるようにした。
【００３５】
一方、本発明における逆位相把握は駆動系伝達関数の周波数応答を利用して達成され、振動を抽出することができるセンサーが付着された地点から振動の減少を目標とする地点までの伝達関数を利用する。その過程を説明すれば、センサーで測定された速度（或いは位置）情報から正弦波形態の振動成分を抽出した後、当該経路の伝達関数の周波数応答、即ち、振幅応答及び位相応答ほどに大きさと位相が調整された正弦波を発生させることにより、振動測定部位に伝えられた作用力を追従する正弦波を推定し出す。引続き、推定された正弦波を振動低減目標地点への伝達関数に従って前記で推定された作用力の振幅及び位相を調整したあと反転させただけの動力を、第１モータ１１２を利用して発生させると、目標地点の振動が相殺される。本発明の逆位相調整の過程は、時間領域（ｔｉｍｅ  ｄｏｍａｉｎ）でフィルターを利用せず、基準信号の位置角（ｐｏｓｉｔｉｏｎ  ａｎｇｌｅ）に対し位相を合算する過程を介して周波数領域（ｆｒｅｑｕｅｎｃｙ  ｄｏｍａｉｎ）で行われることを特徴とする。
【００３６】
図４は、本発明の一実施形態に係るハイブリッド車の能動型振動低減制御装置５００を説明するための図である。図４に示すように、本発明によるハイブリッド車の能動型振動低減制御装置５００は、振動抽出部２１０、基準信号生成部２２０、係数決定部２３０、位相決定部２４０、位相偏移量検出部２５０、同期信号生成部２６０及びトルク生成部２７０を含む。本発明の一実施形態のハイブリッド車の能動型振動低減制御装置５００の各部の構成要素等は、半導体プロセッサのようなハードウェア、応用プログラムのようなソフトウェア、またはこれらの組み合わせで具現され得る。
【００３７】
図５は、本発明の一実施形態に係るハイブリッド車の能動型振動低減制御装置５００の動作を説明するためのフローチャートである。
先ず、振動抽出部２１０は、動作中の第２モータ１１６から振動信号（振動成分）を抽出する（５０１）。本発明は、振動を低減する主体である第１モータ１１２と振動を発生させるエンジン１１４との間にトーショナルダンパ１１３が位置する場合、エンジンの爆発によって発生した振動がトーショナルダンパ１１３を通過しながら大幅に減殺され、第１モータ１１２からの振動信号の抽出が困難であるため、第２モータ１１６からエンジンの爆発によって発生する振動信号を抽出する。
【００３８】
このような振動抽出部２１０は、第２モータ１１６内の回転子の位置（例えば、ＨＳＧ回転子の回転角）（θｍ２）を測定する位置測定器（レゾルバ）２１１、位置測定器２１１によって測定された回転角（θｍ２）を微分して速度信号（Ｗ２ｍ）を算出する速度算出器２１２、及び速度算出器２１２により算出された速度信号をフィルタリングして振動信号（Ｗｄ）を抽出する振動抽出器２１３を含む。
【００３９】
ここで、振動抽出器２１３は、エンジンの爆発によって発生する振動成分だけを通過させる帯域通過（Ｂａｎｄ−Ｐａｓｓ）形式のデジタルフィルターで具現され得る。このとき、デジタルフィルターの遮断周波数は、予め所望の領域を決めて用いることもでき、エンジンの回転数に基づいて可変して用いることもできる。例えば、４気筒４行程内燃機関の場合、機械的に１回転する度に２回の爆発が発生するので、エンジン回転速度の２倍になる周波数の爆発成分が観測され、これを考慮して遮断周波数を決めることができる。
【００４０】
次に、基準信号生成部２２０は、第１モータ１１２の回転角（位相）（θｍ１）に基づいて基準信号（Ｗｘ）を生成する（５０２）。つまり、基準信号として大きさが１である単位正弦波を生成する。さらに、基準信号生成部２２０は、第１モータ１１２の回転角（θｍ１）に基準値を掛けた結果（例えば、エンジン爆発周期の２倍、即ち、２倍回転角）（θ１ｍ２）を生成する（５０２）。このとき、クランク軸が１回転する度に２回の爆発が発生する４気筒４行程内燃機関を例に挙げたので２を掛けるが、内燃機関が異なると掛ける値も変わる。このような基準信号生成部２２０は、第１モータ１１２の回転角（θｍ１）を測定する位置測定器（ｒｅｓｏｌｖｅｒ）２２１、前記位置測定器２２１によって測定された回転角（θｍ１）に基づいて２倍回転角（θ１ｍ２）及び回転角（θｍ１）に相応する大きさ１の単位正弦波形態の基準信号（Ｗｘ）を生成する生成器２２２を含む。
【００４１】
次に、係数決定部２３０は、基準信号生成部２２０により生成された基準信号（Ｗｘ）と振動抽出部２１０により抽出された振動信号（Ｗｄ）との間の位相差が最小になるようにするフィルター係数を決める（５０３）。このとき、基準信号生成部２２０により生成された基準信号と振動抽出部２１０により抽出された振動信号とは周波数が同一である。このような係数決定部２３０は、可変フィルター２３１、位相差算出器２３２及びフィルター係数更新器２３３を含むことができる。このような適応フィルター（Ａｄａｐｔｉｖｅ  Ｆｉｌｔｅｒ）形態の係数決定部２３０は、二つの信号（Ｗｄ、Ｗｘ）の誤差が最小になるように最適に近いフィルター係数を決めることができる。
【００４２】
ＦＩＲ（Ｆｉｎｉｔｅ  Ｉｍｐｕｌｓｅ  Ｒｅｓｐｏｎｓｅ）形式またはＩＩＲ（Ｉｎｆｉｎｉｔｅ  Ｉｍｐｕｌｓｅ  Ｒｅｓｐｏｎｓｅ）形式などの可変フィルター２３１は、フィルター係数更新器２３３によって更新されたフィルター係数を利用し、基準信号生成部２２０によって生成された基準信号（Ｗｘ）をフィルタリングする。このとき、ＦＩＲフィルターを利用したフィルタリング結果（Ｗｙ）は、下記数式（１）の通りである。
【００４３】
【数１】
2018008672.tif 000003
【００４４】
ここで、Ｈ（ｚ）は変数ｚを有する関数形態のＦＩＲフィルターであって、本発明の一実施形態では１次可変フィルターを例に挙げて説明するが、可変フィルターの次数は必要に応じて２次以上を用いることもできる。位相差算出器２３２は、基準信号（Ｗｘ）から生成されたフィルタリング結果（Ｗｙ）と、振動抽出部２１０により抽出された振動信号（Ｗｄ）との間の位相差（Ｅ）を算出する。フィルター係数更新器２３３は、ＲＬＳ（Ｒｅｃｕｒｓｉｖｅ  Ｌｅａｓｔ  Ｓｑｕａｒｅ）方式のアルゴリズムを利用して基準信号（Ｗｘ）から生成されたフィルタリング結果（Ｗｙ）と、振動抽出部２１０により抽出された振動信号との間の位相差（Ｅ）が最小になるようにするフィルター係数（ｂ０、ｂ１…）を計算する。
【００４５】
一方、第１モータ１１２とエンジン１１４の間にクラッチのような出力断絶部（図示省略）が位置する場合、フィルター係数更新器２３３は、クラッチによって出力が断絶された時は係数更新を中断し、連結されている時だけ係数更新を行うことが好ましい。
【００４６】
次に、位相決定部２４０は、位置測定器２２１によって測定された第１モータ１１２の回転角（θｍ１）を微分して速度信号（Ｗ１ｍ）を算出し、算出された速度信号（Ｗ１ｍ）と係数決定部２３０により決定された係数を利用して、基準信号生成部２２０により生成された基準信号（Ｗｘ）と、振動抽出部２１０により抽出された振動信号（Ｗｄ）との間の位相差（θｄ）を決める（５０４）。このような位相決定部２４０は、位置測定器２２１により測定された第１モータ１１２の回転角（θｍ１）を微分して速度信号（Ｗ１ｍ）を算出する速度算出器２４１、及び速度算出器２４１により算出された速度信号（Ｗ１ｍ）と係数決定部２３０により決定された係数とを利用して、基準信号生成部２２０により生成された基準信号（Ｗｘ）と、振動抽出部２１０により抽出された振動信号（Ｗｄ）との間の位相差（θｄ）を検出する位相決定器２４２を含む。ここで、位相決定器２４２は、下記の数式（２）のように位相差（θｄ）を決めることができる。ここで、ｗは角速度、Ｔｓは時間に該当する。
【００４７】
【数２】
2018008672.tif 000004
【００４８】
次に、位相偏移量検出部２５０は、前記第１モータ１１２の速度信号（Ｗ１ｍ）を利用して振動抽出器２１３（または振動抽出部２１０）から第１モータ１１２までの伝達遅延による位相差を補償するための補償値（θｐ）を検出する（５０５）。さらに、位相偏移量検出部２５０は、振動抽出器２１３によって発生する位相遅延を補償するための補償値（θｖ）をさらに検出することもできる。このとき、位相遅延は、振動抽出器２１３、即ち、帯域通過フィルターによって発生する位相遅延を意味する。
【００４９】
次に、同期信号生成部２６０は、基準信号生成部２２０の生成器２２２により生成された位相（θ１ｍ２）と、位相決定部２４０によって検出された位相（θｄ）、及び、位相偏移量検出部２５０によって検出された補償値（θｐ／θｖ）を利用して逆位相信号を生成する（５０６）。本発明では特に、同期信号生成部２６０が、基準信号生成部２２０からの第１モータ１１２の位相情報（θ１ｍ２）に基づき、通常の能動型振動低減技術に用いられるサイン（Ｓｉｎ）形態の正弦波ではなく実際の振動の形状に逆位相信号を生成し、実際の振動と基準信号の位相同期性能を向上させることができるようにした。
【００５０】
次に、トルク生成部２７０は、同期信号生成部２６０により生成された逆位相信号と、振幅比決定器２７１が決める基準トルク（Ｔ）とを乗算器２７２で掛けて逆位相トルクを生成した後、これを加算器２７３で指令トルクと合算して振動低減用トルクを生成する（５０７）。このような振動低減用トルクに基づいて目標部位（例えば、第１モータ）が補償力を発生することになる。このとき、基準トルクは既に設定された定数であってもよく、エンジントルクまたは駆動系に印加された総計トルクの一定の割合であってもよく、エンジントルクまたは駆動系に印加された総計トルクに周波数領域での振幅比を掛けた値であってもよい。指令トルクは、上位制御器（一例として、ハイブリッド制御器１２４またはアクセルペダル（図示省略））からの指令トルクであってよい。
図６は、本発明の一実施形態に係る同期信号生成部２６０を説明するための図である。
【００５１】
図６に示す通り、本発明の一実施形態に係る同期信号生成部２６０は、位相合成器６１０及び逆位相信号生成器６２０を含む。
本発明において、基準信号生成部２２０で第１モータ１１２の位相情報に従ってエンジンの爆発周期の倍数を適用した変更位相（θ１ｍ２）を生成すれば、位相合成器６１０は、位相（θ１ｍ２）と幾多の補償位相（θｄ、θｐ／θｖ）を反映するために前記位相等を適宜合成した信号を生成し、逆位相信号生成器６２０は、当該位相合成信号の逆位相（例えば、１８０度の位相差）信号を生成する（図３を参照）。
【００５２】
例えば、位相合成器６１０は、基準信号生成部２２０により生成された位相（θ１ｍ２）から位相決定部２４０によって検出された位相（θｄ）を引いた結果に位相偏移量検出部２５０によって検出された補償値（θｐ）を足した位相に基づき、実際の振動の形状に対応される位相合成信号を生成する。このとき、振動抽出器２１３により発生する位相遅延を補償するための補償値（θｖ）をさらに合算して、実際の振動の形状に対応される位相合成信号を生成することもできる。逆位相信号生成器６２０は、当該位相合成信号の逆位相（例えば、１８０度の位相差）  信号を生成する。
【００５３】
一例として、前記のような位相情報（θ１ｍ２、θｄ、θｐ／θｖ）を利用して実際の振動の形状に対応される位相合成信号を生成するため、図７に示す通り、位相値（例えば、合成位相）別の信号の大きさ（例えば、−１と１の間）に対するルックアップテーブル（ＬＵＴ、Ｌｏｏｋ−ｕｐ  Ｔａｂｌｅ）を利用することができる。例えば、エンジンの始動後に実際の振動を計測し、その形状に合わせて前記のような所定の位相値（例えば、合成位相）別の信号の大きさを測定してルックアップテーブルに予め格納し、位相情報（θ１ｍ２、θｄ、θｐ／θｖ）を利用して決定された位相（例えば、合成位相）に対する位相合成信号の生成に利用することができる。位相合成器６１０は、精密な位相合成信号の生成のため、ルックアップテーブルの位相値の間の詳細位相に対応される信号の大きさを、線形補間方式などで算出して利用することもできる。
【００５４】
他の例として、前記のような位相情報（θ１ｍ２、θｄ、θｐ／θｖ）を利用して実際の振動の形状に対応される位相合成信号を生成するため、図８、図９に示す通り、対象エンジンを有した車両システムの吸入、圧縮、膨張、排気行程と係わる、エンジンやクランク軸トルクモデル等を利用することができる。通常のエンジンやクランク軸トルクモデル等に対してはよく知られているので、下記のように簡単に説明する。
【００５５】
例えば、所定の気筒（例えば、４、６、８、１４など）を有するエンジン車両に対し、図８に示す通り、シリンダー行程（Ｌ）、ピストン内径（Ｄ）、コネクティングロッドの長さ（ｌ）、ピストン位置（ｘ）、圧縮比（ｃ）、大気圧係数（ａ＝１０３．２５ｋＮ／ｍ２）、クランク軸の回転角（θ）、クランク軸の半径（ｒ）などを考慮したエンジンやクランク軸トルクモデルに基づき、位相合成器６１０は、前記のような位相情報（θ１ｍ２、θｄ、θｐ／θｖ）を利用して実際の振動の形状に対応される位相合成信号を計算して出力することができる。このとき、図９に示す通り、オット（Ｏｔｔｏ）サイクル圧力−体積（Ｐ−Ｖ）ダイヤグラムで、エンジンの吸入、圧縮、膨張、排気行程と係わった、ピストン位置（ｘ）、シリンダー体積（Ｖ）、シリンダー圧力（例えば、Ｐ＝１／Ｖ）、クランク軸トルク、エンジントルク、各行程別の圧力や回転角（θ）範囲などの情報が利用され得る。
【００５６】
図１０は、本発明の一実施形態に係るハイブリッド車の能動型振動低減制御装置５００の具現方法の一例を説明するための図である。本発明の一実施形態に係るハイブリッド車の能動型振動低減制御装置５００は、ハードウェア、ソフトウェア、またはこれらの組み合わせからなり得る。例えば、ハイブリッド車の能動型振動低減制御装置５００は、図１０に示す通りのコンピューティングシステム１０００で具現され得る。
【００５７】
コンピューティングシステム１０００は、バス１２００を介して連結される少なくとも一つのプロセッサ１１００、メモリ１３００、使用者インタフェース入力装置１４００、使用者インタフェース出力装置１５００、ストレージ１６００及びネットワークインタフェース１７００を含むことができる。プロセッサ１１００は、中央処理装置（ＣＰＵ）またはメモリ１３００及び／またはストレージ１６００に格納されている命令語等に対する処理を行う半導体装置であってよい。メモリ１３００及びストレージ１６００は、多様な種類の揮発性または不揮発性格納媒体を含むことができる。例えば、メモリ１３００は、ＲＯＭ（Ｒｅａｄ  Ｏｎｌｙ  Ｍｅｍｏｒｙ）１３１０及びＲＡＭ（Ｒａｎｄｏｍ  Ａｃｃｅｓｓ  Ｍｅｍｏｒｙ）１３２０を含むことができる。
【００５８】
したがって、本明細書に開示されている実施形態等と関連して説明された方法またはアルゴリズムの段階は、プロセッサ１１００によって実行されるハードウェア、ソフトウェアモジュール、またはその二つの組み合わせで直接具現され得る。ソフトウェアモジュールは、ＲＡＭメモリ、フラッシュメモリ、ＲＯＭメモリ、ＥＰＲＯＭメモリ、ＥＥＰＲＯＭメモリ、レジスター、ハードディスク、着脱型ディスク、ＣＤ−ＲＯＭのような格納媒体（即ち、メモリ１３００及び／またはストレージ１６００）に常在することもできる。例示的な格納媒体はプロセッサ１１００にカップリングされ、該プロセッサ１１００は、格納媒体から情報を読み取ることができ、格納媒体に情報を書き込むことができる。他の方法として、格納媒体はプロセッサ１１００と一体型であってもよい。プロセッサ及び格納媒体は、注文型集積回路（ＡＳＩＣ）内に常在することもできる。ＡＳＩＣは使用者端末機内に常在することもできる。他の方法として、プロセッサ及び格納媒体は使用者端末機内に個別のコンポネントとして常在することもできる。
【００５９】
前述のように、本発明に係るハイブリッド車の能動型振動低減制御装置５００では、逆位相トルクの基準になる基準信号を、サイン波形態の正弦波ではなく実際の振動の形状に生成し、実際の振動と基準信号の間の位相同期性能が向上するように逆位相のモータ補償力を決めることができ、時間領域でなく周波数領域で直接位相を調整し、エンジンの爆発によって発生する振動の能動的かつ効果的な低減が可能である。さらに、ＦＩＲ（Ｆｉｎｉｔｅ  Ｉｍｐｕｌｓｅ  Ｒｅｓｐｏｎｓｅ）、ＩＩＲ（Ｉｎｆｉｎｉｔｅ  Ｉｍｐｕｌｓｅ  Ｒｅｓｐｏｎｓｅ）形式などの適応フィルター（Ａｄａｐｔｉｖｅ  Ｆｉｌｔｅｒ）を利用して目標信号と基準信号の間の誤差が最小になるように最適に近いフィルター係数を決めることにより、実際の振動と基準信号の間の位相同期性能を向上させることができ、エンジンの爆発によって発生する振動を効果的に低減することができる。
【００６０】
以上のように、本発明では、具体的な構成要素を実施形態及び図面で説明したが、これは、理解を助けるためのもので、実施形態に限定されるものではない。多様な修正及び変形が可能である。
【符号の説明】
【００６１】
２１０    振動抽出部
２２０    基準信号生成部
２３０    係数決定部
２４０    位相決定部
２５０    位相偏移量検出部
２６０    同期信号生成部
２７０    トルク生成部
６１０    位相合成器
６２０    逆位相信号生成器
【図１】
2018008672.tif 000005
【図２】
2018008672.tif 000006
【図３】
2018008672.tif 000007
【図４】
2018008672.tif 000008
【図５】
2018008672.tif 000009
【図６】
2018008672.tif 000010
【図７】
2018008672.tif 000011
【図８】
2018008672.tif 000012
【図９】
2018008672.tif 000013
【図１０】
2018008672.tif 000014